(57)【要約】【課題】通信状態が不安定なネットワークへの接続に起因して省電力モードが維持されなくなる事態を減らすことができる情報処理装置を提供する。【解決手段】ＭＦＰ１０１は、リンクアップの検知に応じて省電力モードから復帰するか否かを設定メニュー３００の設定に基づいて決定する。【選択図】図７
2017215904.tif 000002
【特許請求の範囲】
【請求項１】
消費電力が低減される省電力モード時にリンクアップが検知されると、前記リンクアップの検知に応じて前記省電力モードから復帰する情報処理装置であって、
前記リンクアップの検知に応じて前記情報処理装置を前記省電力モードから復帰させる制御を行う復帰制御手段と、
前記リンクアップによる前記省電力モードからの復帰を許可するか否かを設定する設定手段とを備え、
前記復帰制御手段は、前記リンクアップの検知に応じて前記情報処理装置を前記省電力モードから復帰させるか否かを前記設定手段による設定に基づいて決定することを特徴とする情報処理装置。
【請求項２】
前記省電力モードからの復帰を許可するか否かをユーザに選択させる選択手段を更に備えることを特徴とする請求項１記載の情報処理装置。
【請求項３】
前記復帰制御手段は、前記省電力モードに移行してから予め設定された期間が経過するまで前記リンクアップの検知に応じて前記情報処理装置を前記省電力モードから復帰させないことを特徴とする請求項１又は２記載の情報処理装置。
【請求項４】
前記復帰制御手段は、前記省電力モードに移行してから予め設定された期間が経過すると、前記リンクアップの検知に応じて前記情報処理装置を前記省電力モードから復帰させることを特徴とする請求項３記載の情報処理装置。
【請求項５】
前記情報処理装置は、画像形成処理を行う画像形成装置であることを特徴とする請求項１乃至４のいずれか１項に記載の情報処理装置。
【請求項６】
消費電力が低減される省電力モード時にリンクアップが検知されると、前記リンクアップの検知に応じて前記省電力モードから復帰する情報処理装置の制御方法であって、
前記リンクアップの検知に応じて前記情報処理装置を前記省電力モードから復帰させる制御を行う復帰制御ステップと、
前記リンクアップによる前記省電力モードからの復帰を許可するか否かを設定する設定ステップとを有し、
前記復帰制御ステップは、前記リンクアップの検知に応じて前記情報処理装置を前記省電力モードから復帰させるか否かを前記設定ステップの設定に基づいて決定することを特徴とする情報処理装置の制御方法。
【請求項７】
消費電力が低減される省電力モード時にリンクアップが検知されると、前記リンクアップの検知に応じて前記省電力モードから復帰する情報処理装置の制御方法をコンピュータに実行させるプログラムであって、
前記情報処理装置の制御方法は、
前記リンクアップの検知に応じて前記情報処理装置を前記省電力モードから復帰させる制御を行う復帰制御ステップと、
前記リンクアップによる前記省電力モードからの復帰を許可するか否かを設定する設定ステップとを有し、
前記復帰制御ステップは、前記リンクアップの検知に応じて前記情報処理装置を前記省電力モードから復帰させるか否かを前記設定ステップの設定に基づいて決定することを特徴とするプログラム。
【発明の詳細な説明】
【技術分野】
【０００１】
本発明は、情報処理装置及びその制御方法、並びにプログラムに関する。
【背景技術】
【０００２】
通常モード時に所定の期間各処理の実行指示を受け付けないと、当該通常モードより消費電力を低減可能な省電力モードに移行する情報処理装置としてのＭＦＰが知られている。ＭＦＰは、当該ＭＦＰに設けられる構成要素のうち必要最小限の構成要素のみに給電して省電力モードに移行する。また、ＭＦＰは、省電力モードに移行する際に当該ＭＦＰが接続されたネットワークにおける通信速度の設定を変更する場合がある。この場合、ＭＦＰは、当該ネットワークとの接続を切断し、通信速度の設定を低速の通信速度に変更してから当該ネットワークに再接続する再接続処理を実行する。ＭＦＰは再接続処理の実行が完了すると、省電力モードに移行する。
【０００３】
ところで、省電力モードにおいて、ＭＦＰは予め設定された復帰条件を満たすと、通常モードに復帰する（例えば、特許文献１参照）。復帰条件は、ユーザによる復帰指示を受け付けた場合や、新たなネットワークの通信設定を必要とするような場合、例えば、ＭＦＰが新たなネットワークに接続されて当該新たなネットワークを介した通信が可能となるリンクアップが検知された場合を含む。
【先行技術文献】
【特許文献】
【０００４】
【特許文献１】特開２００９−２３９８７０号公報
【発明の概要】
【発明が解決しようとする課題】
【０００５】
しかしながら、上述したＭＦＰでは、省電力モード中の意図しないリンクアップの検知に起因して不要に通常モードへ移行してしまう場合がある。ここで、ＭＦＰは省電力モード中でも再接続処理を実行可能であり、例えば、省電力モード中に当該ＭＦＰが接続されたネットワークの通信状態が不安定である場合、再接続処理を開始する。この場合、ＭＦＰは、当該ＭＦＰが接続されたネットワークの再接続処理の実行によるリンクアップを検知すると、新たなネットワークの通信設定が必要ではないにも関わらず、復帰条件が満たされたと判別し、通常モードに移行してしまう。すなわち、従来のＭＦＰでは、通信状態が不安定なネットワークに接続された場合、省電力モードが維持されない問題が生じる。
【０００６】
本発明の目的は、通信状態が不安定なネットワークとの接続に起因して省電力モードが維持されなくなる事態を減らすことができる情報処理装置及びその制御方法、並びにプログラムを提供することにある。
【課題を解決するための手段】
【０００７】
上記目的を達成するために、本発明の情報処理装置は、消費電力が低減される省電力モード時にリンクアップが検知されると、前記リンクアップの検知に応じて前記省電力モードから復帰する情報処理装置であって、前記リンクアップの検知に応じて前記情報処理装置を前記省電力モードから復帰させる制御を行う復帰制御手段と、前記リンクアップによる前記省電力モードからの復帰を許可するか否かを設定する設定手段とを備え、前記復帰制御手段は、前記リンクアップの検知に応じて前記情報処理装置を前記省電力モードから復帰させるか否かを前記設定手段による設定に基づいて決定することを特徴とする。
【発明の効果】
【０００８】
本発明によれば、通信状態が不安定なネットワークへの接続に起因して省電力モードが維持されなくなる事態を減らすことができる。
【図面の簡単な説明】
【０００９】
【図１】本発明の実施の形態に係る情報処理装置としてのＭＦＰを含む通信システムの構成を概略的に示す構成図である。
【図２】図１のＭＦＰの構成を概略的に示すブロック図である。
【図３】図２の操作部に表示される設定メニューの一例を示す図である。
【図４】図１のＭＦＰのソフトウェアモジュールの構成を概略的に示すブロック図である。
【図５】図１のＭＦＰで実行される設定処理の手順を示すフローチャートである。
【図６】図１のＭＦＰで実行される省電力モード移行処理の手順を示すフローチャートである。
【図７】図２のネットワーク部で実行される送信処理の手順を示すフローチャートである。
【図８】図１のＭＦＰで実行される復帰制御処理の手順を示すフローチャートである。
【発明を実施するための形態】
【００１０】
以下、本発明の実施の形態を図面を参照しながら詳述する。
【００１１】
本実施の形態では、情報処理装置としてのＭＦＰに本発明を適用した場合について説明するが、本発明の適用先はＭＦＰに限られず、省電力モードから復帰可能な装置であれば本発明を適用することができる。
【００１２】
図１は、本発明の実施の形態に係る情報処理装置としてのＭＦＰ１０１を含む通信システム１００の構成を概略的に示す構成図である。
【００１３】
図１において、通信システム１００は、ＭＦＰ１０１、スイッチングハブ１０２、及びＰＣ１０３を備え、スイッチングハブ１０２はＭＦＰ１０１及びＰＣ１０３の夫々と接続されている。
【００１４】
ＭＦＰ１０１は画像形成処理等の各処理を実行可能であり、例えば、スイッチングハブ１０２を介して接続されたＰＣ１０３から印刷データを受信し、当該印刷データに基づいて印刷を行う。ＭＦＰ１０１は通常モード及び当該通常モードより消費電力を低減可能な省電力モードに移行可能である。ＭＦＰ１０１は、例えば、通常モード時に所定の期間各処理の実行指示を受け付けない場合、スイッチングハブ１０２との接続を切断して当該スイッチングハブ１０２との通信速度を変更する再接続処理を実行してから省電力モードに移行する。また、ＭＦＰ１０１は、省電力モード時に予め設定された復帰条件を満たした場合、省電力モードから復帰して通常モードに移行する。復帰条件は、ユーザによる図示しない省電力操作ボタンの操作によって復帰の指示を受け付けた場合、リンクアップが検知された場合、及び特定のデータ（例えば印刷ジョブ）を受信した場合等を含む。スイッチングハブ１０２はＭＦＰ１０１及びＰＣ１０３間のデータ通信を制御する。ＰＣ１０３はスイッチングハブ１０２を介してＭＦＰ１０１に印刷データ等を送信する。
【００１５】
図２は、図１のＭＦＰ１０１の構成を概略的に示すブロック図である。
【００１６】
図２において、ＭＦＰ１０１は、制御部２００、プリンタ部２０８、操作部２０９、電源部２１０、給電制御部２１１、及びネットワーク部２１２を備える。制御部２００は、プリンタ部２０８、操作部２０９、給電制御部２１１、及びネットワーク部２１２のそれぞれと接続され、電源部２１０は給電制御部２１１と接続されている。制御部２００は、ＣＰＵ２０１、ＲＡＭ２０２、ＲＯＭ２０３、ＨＤＤ２０４、プリンタＩ／Ｆ２０５、操作部Ｉ／Ｆ２０６、及びＬＡＮＩ／Ｆ２０７を備える。ＣＰＵ２０１、ＲＡＭ２０２、ＲＯＭ２０３、ＨＤＤ２０４、プリンタＩ／Ｆ２０５、操作部Ｉ／Ｆ２０６、及びＬＡＮＩ／Ｆ２０７はシステムバス２１３を介して互いに接続されている。ネットワーク部２１２は、ＣＰＵ２１４、ＲＡＭ２１５、ＲＯＭ２１６、ＬＡＮＩ／Ｆ２１７、ＭＡＣ（Media Access Control）２１８、及びＰＨＹ２１９を備える。ＣＰＵ２１４、ＲＡＭ２１５、ＲＯＭ２１６、ＬＡＮＩ／Ｆ２１７、及びＭＡＣ２１８はシステムバス２２０を介して互いに接続され、ＰＨＹ２１９はＭＡＣ２１８と接続されている。
【００１７】
制御部２００はＭＦＰ１０１全体を統括的に制御する。ＣＰＵ２０１は、ＲＯＭ２０３やＨＤＤ２０４に格納されたプログラムを実行して後述する図４のソフトウェアモジュール４００の各処理を行う。ＲＡＭ２０２はＣＰＵ２０１の作業領域として用いられ、また、ＲＡＭ２０２は各データの一時格納領域として用いられる。ＲＯＭ２０３はＣＰＵ２０１で実行される各プログラムや各データを格納する。ＨＤＤ２０４は各プログラムや設定データ等を格納する。プリンタＩ／Ｆ２０５はプリンタ部２０８とデータ通信を行い、操作部Ｉ／Ｆ２０６は操作部２０９とデータ通信を行い、ＬＡＮＩ／Ｆ２０７はネットワーク部２１２とデータ通信を行う。プリンタ部２０８はＰＣ１０３等から送信された印刷データに基づいて印刷を行う。
【００１８】
操作部２０９はタッチパネル式の図示しない表示部及び操作キーを備える。操作部２０９はユーザによって入力された入力情報を受け付け、例えば、ユーザの操作ボタンの操作によって省電力モードへの移行の指示を受け付ける。また、操作部２０９はＭＦＰ１０１の各設定を行う設定メニュー等を表示し、例えば、省電力モードからの復帰に関する設定を行う図３の設定メニュー３００を表示する。
【００１９】
設定メニュー３００は、省電力モード中にリンクアップが検知された際に省電力モードからの復帰を許可するか否かを示す選択肢３０１，３０２を含む。ここで、省電力モード中に新たなネットワークとのリンクアップが検知された場合、当該新たなネットワークの通信設定を行う必要があるので、ＭＦＰ１０１を省電力モードから復帰させる必要がある。このような場合が想定される環境下では、省電力モード中にリンクアップが検知された際に省電力モードからの復帰を許可しておくことが好ましい。一方、省電力モード中に新たなネットワークと接続されることがない環境下では、省電力モード中にリンクアップが検知された際にＭＦＰ１０１を省電力モードから復帰させる必要がない。むしろ、ＭＦＰ１０１に接続されたスイッチングハブ１０２との通信状態が不安定であることに起因して再接続処理が実行され、意図しないリンクアップが検知されるといった事態が生じる可能性がある。そのため、省電力モード中にリンクアップが検知された際に省電力モードからの復帰を許可しないでおくことが好ましい。本実施の形態では、省電力モード中にリンクアップが検知された際に省電力モードからの復帰を許可するか否かをユーザが設定メニュー３００によって設定可能である。ユーザによって選択肢３０１が選択された場合、ＭＦＰ１０１は省電力モード中のリンクアップの検知に応じて省電力モードから復帰する。一方、ユーザによって選択肢３０２が選択された場合、ＭＦＰ１０１は省電力モード中のリンクアップの検知に応じて省電力モードから復帰しない。
【００２０】
電源部２１０はコンセント等から供給されたＡＣ電源をＤＣ電源に変換し、当該ＤＣ電源を給電制御部２１１に供給する。給電制御部２１１は電源部２１０から供給されたＤＣ電源に基づいてＭＦＰ１０１に設けられる各構成要素に給電する。
【００２１】
ネットワーク部２１２はスイッチングハブ１０２を介して行われるＰＣ１０３とのデータ通信を制御する。また、ネットワーク部２１２は、ＭＦＰ１０１の省電力モード時においても給電制御部２１１から給電され、省電力モードから復帰するための後述する図７の送信処理を行う。ネットワーク部２１２では、ＣＰＵ２１４がＲＯＭ２１６に格納されたプログラムを実行して各制御を行い、ＲＡＭ２１５がＣＰＵ２１４の作業領域及び一時格納領域として用いられる。ＲＯＭ２１６はＣＰＵ２１４によって実行されるプログラム等を格納し、ＬＡＮＩ／Ｆ２１７は制御部２００とデータ通信を行う。ＭＡＣ２１８はＰＨＹ２１９を介してＰＣ１０３等から受信したデータ信号をＭＦＰ１０１で処理可能なデータ形式に変換する。ＰＨＹ２１９はスイッチングハブ１０２を介してＰＣ１０３等と印刷データ等の各データの送受信を行う。
【００２２】
図４は、図１のＭＦＰ１０１のソフトウェアモジュール４００の構成を概略的に示すブロック図である。
【００２３】
図４において、ソフトウェアモジュール４００は、電力状態制御モジュール４０１、操作部制御モジュール４０２、通信制御モジュール４０３、及び格納モジュール４０４を備える。ソフトウェアモジュール４００の各処理は、ＣＰＵ２０１がＲＯＭ２０３やＨＤＤ２０４に格納されたプログラムを実行することによって行われる。
【００２４】
電力状態制御モジュール４０１は、給電制御部２１１を制御してＭＦＰ１０１に設けられる各構成要素へ給電する。ＭＦＰ１０１の各構成要素は、通常モード及び省電力モードのいずれのモードにおいても給電される電源系統Ａ、及び通常モードのみにおいて給電される電源系統Ｂのいずれかに分類される。電源系統Ａには、ＭＦＰ１０１の構成要素のうち、例えば、ＲＡＭ２０２、給電制御部２１１、図示しない省電力操作ボタン、及びネットワーク部２１２が含まれる。また、電源系統Ｂには、ＭＦＰ１０１の構成要素のうちＲＡＭ２０２、給電制御部２１１、図示しない省電力操作ボタン、及びネットワーク部２１２を除く他の構成要素が含まれる。
【００２５】
操作部制御モジュール４０２は操作部２０９の表示制御や当該操作部２０９で受け付けた入力情報の管理を行う。通信制御モジュール４０３はネットワーク部２１２によるＰＣ１０３等の外部装置とのデータ通信を制御する。また、通信制御モジュール４０３は、ネットワーク部２１２を介する復帰条件をネットワーク部２１２に設定する。ネットワーク部２１２を介する復帰条件は、ＭＦＰ１０１宛てのユニキャストパケット等の特定のネットワークパケットの受信やリンクアップの検知等を含む。格納モジュール４０４は各データをＲＡＭ２０２、ＲＯＭ２０３、及びＨＤＤ２０４等の記憶媒体に記憶する制御を行う。また、格納モジュール４０４は記憶された各データを当該記憶媒体から読み出す制御を行う。
【００２６】
図５は、図１のＭＦＰ１０１で実行される設定処理の手順を示すフローチャートである。
【００２７】
図５の処理は、ＣＰＵ２０１がＲＯＭ２０３やＨＤＤ２０４に格納されたプログラムを実行することによって行われ、ユーザによって設定メニュー３００の設定が予め行われていることを前提とする。
【００２８】
図５において、まず、ＣＰＵ２０１は、ユーザが設定メニュー３００において選択肢３０１，３０２のいずれを選択したかを示す設定メニュー３００の設定情報を取得する（ステップＳ５０１）。次いで、ＣＰＵ２０１は、設定メニュー３００において選択肢３０１，３０２のいずれが選択されたかを判別する（ステップＳ５０２）。
【００２９】
ステップＳ５０２の判別の結果、設定メニュー３００において選択肢３０１が選択されたとき、ＣＰＵ２０１は省電力モード中のリンクアップの検知に応じて省電力モードから復帰させる機能を有効に設定する（ステップＳ５０３）。本実施の形態では、省電力モード中のリンクアップの検知に応じて省電力モードから復帰させる機能を「リンクアップによる復帰機能」と定義する。その後、ＣＰＵ２０１は本処理を終了する。
【００３０】
ステップＳ５０２の判別の結果、設定メニュー３００において選択肢３０２が選択されたとき、ＣＰＵ２０１はリンクアップによる復帰機能を無効に設定し（ステップＳ５０４）、本処理を終了する。
【００３１】
なお、上述した図５の処理は、ＭＦＰ１０１が通常モード時に実行され、ＭＦＰ１０１の起動時やＭＦＰ１０１の各設定の変更時等に実行される。
【００３２】
図６は、図１のＭＦＰ１０１で実行される省電力モード移行処理の手順を示すフローチャートである。
【００３３】
図６の処理は、ＣＰＵ２０１がＲＯＭ２０３やＨＤＤ２０４に格納されたプログラムを実行することによって行われる。
【００３４】
図６において、まず、ＣＰＵ２０１は予め設定された省電力モードへの移行条件を満たしたか否かを判別する（ステップＳ６０１）。ＣＰＵ２０１は省電力モードへの移行条件を満たすまで待機し、省電力モードへの移行条件を満たすと（ステップＳ６０１でＹＥＳ）、ＭＦＰ１０１を省電力モードへ移行させる準備処理を開始する（ステップＳ６０２）。具体的に、ＣＰＵ２０１は、省電力モードに移行した際に給電が停止される電源系統Ｂの各構成要素に給電を停止する旨を通知する。次いで、ＣＰＵ２０１はスイッチングハブ１０２を介した通信速度の設定を低速の通信速度に変更する（ステップＳ６０３）。具体的に、ＣＰＵ２０１は、通信速度の設定を、スイッチングハブ１０２が対応可能な通信速度のうち最も低速な通信速度、例えば、１０Ｍｂｐｓに変更する。次いで、ＣＰＵ２０１は準備処理の実行が完了すると（ステップＳ６０４でＹＥＳ）、ＭＦＰ１０１の電源系統Ｂの構成要素への給電を停止してＭＦＰ１０１を省電力モードに移行させ（ステップＳ６０５）、本処理を終了する。
【００３５】
ＭＦＰ１０１では、省電力モードに移行すると、電源系統Ａの構成要素、具体的に、ＲＡＭ２０２、給電制御部２１１、省電力操作ボタン、及びネットワーク部２１２のみに給電される。そのため、省電力モードからの復帰に関する処理はネットワーク部２１２によって行われる。
【００３６】
図７は、図２のネットワーク部２１２で実行される送信処理の手順を示すフローチャートである。
【００３７】
図７の処理は、ネットワーク部２１２のＣＰＵ２１４がＲＯＭ２１６に格納されたプログラムを実行することによって行われ、ユーザによって設定メニュー３００の設定が予め行われていることを前提とする。
【００３８】
図７において、まず、ＣＰＵ２１４は、予め設定された復帰条件を満たすまで待機し、復帰条件を満たすと（ステップＳ７０１でＹＥＳ）、復帰条件がリンクアップの検知であるか否かを判別する（ステップＳ７０２）。
【００３９】
ステップＳ７０２の判別の結果、復帰条件がリンクアップの検知であるとき、ＣＰＵ２１４はリンクアップによる復帰機能が有効に設定されているか否かを判別する（ステップＳ７０３）。
【００４０】
ステップＳ７０３の判別の結果、リンクアップによる復帰機能が無効に設定されているとき、ＣＰＵ２１４はステップＳ７０１の処理に戻る。一方、ステップＳ７０３の判別の結果、リンクアップによる復帰機能が有効に設定されているとき、ＣＰＵ２１４は給電制御部２１１に省電力モードからの復帰を指示する復帰割込通知を送信し（ステップＳ７０４）、本処理を終了する。
【００４１】
図８は、図１のＭＦＰ１０１で実行される復帰制御処理の手順を示すフローチャートである。
【００４２】
図８の処理は、ＣＰＵ２０１がＲＯＭ２０３やＨＤＤ２０４に格納されたプログラムを実行することによって行われる。
【００４３】
図８において、まず、給電制御部２１１が復帰割込通知を受信すると、給電制御部２１１は制御部２００を含む電源系統Ｂの各構成要素へ給電を開始する。これにより、ＣＰＵ２０１は駆動可能になり、ＭＦＰ１０１は通常モードへ移行する（ステップＳ８０１）。次いで、ＣＰＵ２０１はスイッチングハブ１０２を介したデータ通信の通信速度の設定を低速から高速に変更し（ステップＳ８０２）、本処理を終了する。
【００４４】
上述した図７及び図８の処理によれば、リンクアップの検知に応じてＭＦＰ１０１を省電力モードから復帰させるか否かが設定メニュー３００の設定に基づいて決定される。これにより、リンクアップの検知に応じた省電力モードからの復帰を制御することができ、もって、通信状態が不安定なスイッチングハブ１０２との接続に起因して省電力モードが維持されなくなる事態を減らすことができる。
【００４５】
また、上述した図７及び図８の処理では、省電力モードからの復帰を許可するか否かを設定メニュー３００によってユーザが選択する。これにより、省電力モードからの復帰を許可するか否かについてユーザの意図を反映させることができる。
【００４６】
以上、本発明について実施の形態を用いて説明したが、本発明は上述した実施の形態に限定されるものではない。
【００４７】
例えば、省電力モードに移行してから予め設定された設定期間が経過するまでリンクアップの検知に応じてＭＦＰ１０１を省電力モードから復帰させなくてもよい。これにより、ユーザが設定メニュー３００の設定を行うことなく、省電力モードが維持されなくなる事態を減らすことができる。
【００４８】
また、上述した実施の形態では、省電力モードに移行してから設定期間が経過すると、リンクアップの検知に応じてＭＦＰ１０１を省電力モードから復帰させてもよい。これにより、省電力モードが維持されなくなる事態を減らすことと、リンクアップの検知に応じてＭＦＰ１０１を省電力モードから復帰させないことに起因する利便性の低下を抑制することを両立することができる。
【００４９】
さらに、上述した実施の形態では、省電力モード時に検知されたリンクアップの接続先が、新たなネットワークではなく、接続済みのスイッチングハブ１０２である場合、当該リンクアップの検知に応じてＭＦＰ１０１を省電力モードから復帰させなくてもよい。これにより、省電力モードから不要に復帰する事態を確実に減らすことができる。
【００５０】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００５１】
１０１  ＭＦＰ
１０２  スイッチングハブ
２０１，２１４  ＣＰＵ
２０９  操作部
２１２  ネットワーク部
３００  設定メニュー
【図１】
2017215904.tif 000003
【図２】
2017215904.tif 000004
【図３】
2017215904.tif 000005
【図４】
2017215904.tif 000006
【図５】
2017215904.tif 000007
【図６】
2017215904.tif 000008
【図７】
2017215904.tif 000009
【図８】
2017215904.tif 000010